(57)【要約】      （修正有）【課題】ピッキングの効率化を図ることが可能な箱用シートを提供する。【解決手段】矩形状の底面パネル１と、底面パネルの前縁から延出する前面パネル２と、底面パネルの後縁から延出する後面パネル３と、底面パネルの一対の側縁から延出する一対の側面パネル４とを備え、前面パネル、後面パネル及び一対の側面パネルが上方に折り曲げられて箱型に組み立てられる箱用シート１０であって、前面パネルに、物品取り出し用の切り欠き２ａ又は開口が形成されており、底面パネルの前縁の左右方向両側に両端部が配置され、後面パネル側に凸な破断線１１又は破断容易線が形成されており、底面パネル及び後面パネルに跨る領域に、破断線又は破断容易線によって画定される傾斜板１２が形成されており、傾斜板が、組立状態で、前方から後方に向けて上方に傾斜した状態で後面パネルの内面に支持される。【選択図】図１
0003228638.tif 000002
【実用新案登録請求の範囲】
【請求項１】
前後方向に対向する前縁及び後縁と、左右方向に対向する一対の側縁とを有する矩形状の底面パネルと、
上記前縁から延出する前面パネルと、
上記後縁から延出する後面パネルと、
上記一対の側縁から延出する一対の側面パネルと
を備え、
上記前面パネル、上記後面パネル及び上記一対の側面パネルが上方に折り曲げられて箱型に組み立てられる箱用シートであって、
上記前面パネルに、物品取り出し用の切り欠き又は開口が形成されており、
上記底面パネルの前縁の左右方向両側に両端部が配置され、上記後面パネル側に凸な破断線又は破断容易線が形成されており、
上記底面パネル及び上記後面パネルに跨る領域に、上記破断線又は破断容易線によって画定される傾斜板が形成されており、
上記傾斜板が、組立状態で、前方から後方に向けて上方に傾斜した状態で上記後面パネルの内面に支持される本体を有する箱用シート。
【請求項２】
上記傾斜板が、上記本体の先端縁に連接され、上記後面パネルの内面に折り重ねられる舌片を有し、
上記舌片が、上記本体と接続される基端縁に、スリットによって画定される係合凸部を有しており、
上記後面パネルに上記係合凸部が挿入される係止スリットが形成されている請求項１に記載の箱用シート。
【請求項３】
上記傾斜板が、上記底面パネルの４つの角部を除く領域に形成されている請求項１又は請求項２に記載の箱用シート。
【請求項４】
上記傾斜板が、上記底面パネルの上記４つの角部以外の全領域に亘って形成されている請求項３に記載の箱用シート。
【請求項５】
上記前面パネル及び上記後面パネルの側縁から延出する各一対の側面フラップを有し、
上記各一対の側面フラップが、上記一対の側面パネルの内面に折り重ねられ、かつこの折り重ねられた状態で、上記傾斜板の側縁によって内側から支持される請求項１から請求項４のいずれか１項に記載の箱用シート。
【考案の詳細な説明】
【技術分野】
【０００１】
本考案は、箱用シートに関する。
【背景技術】
【０００２】
通信販売等の梱包現場では、複数の種類の物品を集めて１つにまとめる作業（ピッキング）が行われる。このピッキングは、例えば物品が種類毎に分けて収容された複数の容器から、必要な物品を必要な数量だけ取り出し、１つにまとめることで行われる。
【０００３】
ピッキング現場で使用される容器として、段ボールシート等を組み立ててなる箱体が用いられている（特開２０１２−５６５８４号公報参照）。
【先行技術文献】
【特許文献】
【０００４】
【特許文献１】特開２０１２−５６５８４号公報
【考案の概要】
【考案が解決しようとする課題】
【０００５】
上記公報には、端壁にピッキング用の取り出し孔が形成された輸送箱が記載されている。上記公報には、作業者は、取り出し孔を介して輸送箱内にある商品をピッキングすることができることが記載されている。
【０００６】
上記公報に記載されている輸送箱から必要な数量の物品を取り出す場合、作業者は、輸送箱に収容されている物品を手前に引き寄せたうえで、この物品を取り出すことを要する。そのため、この公報に記載されている輸送箱によると、ピッキングの作業効率を十分に高め難い。
【０００７】
本考案は、このような不都合に鑑みてなされたものであり、ピッキングの効率化を図ることが可能な箱用シートを提供することを目的とする。
【課題を解決するための手段】
【０００８】
本考案の一態様に係る箱用シートは、前後方向に対向する前縁及び後縁と、左右方向に対向する一対の側縁とを有する矩形状の底面パネルと、上記前縁から延出する前面パネルと、上記後縁から延出する後面パネルと、上記一対の側縁から延出する一対の側面パネルとを備え、上記前面パネル、上記後面パネル及び上記一対の側面パネルが上方に折り曲げられて箱型に組み立てられる箱用シートであって、上記前面パネルに、物品取り出し用の切り欠き又は開口が形成されており、上記底面パネルの前縁の左右方向両側に両端部が配置され、上記後面パネル側に凸な破断線又は破断容易線が形成されており、上記底面パネル及び上記後面パネルに跨る領域に、上記破断線又は破断容易線によって画定される傾斜板が形成されており、上記傾斜板が、組立状態で、前方から後方に向けて上方に傾斜した状態で上記後面パネルの内面に支持される本体を有する。
【考案の効果】
【０００９】
本考案の一態様に係る箱用シートによると、ピッキングの効率化を図ることができる。
【図面の簡単な説明】
【００１０】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の模式的底面図である。
【図４】図４は、図１の箱用シートとは異なる実施形態に係る箱用シートを示す模式的平面図である。
【図５】図５は、図４の箱用シートを組み立ててなる箱体の模式的斜視図である。
【考案を実施するための形態】
【００１１】
［本考案の実施形態の説明］
最初に本考案の実施態様を列記して説明する。
【００１２】
本考案の一態様に係る箱用シートは、前後方向に対向する前縁及び後縁と、左右方向に対向する一対の側縁とを有する矩形状の底面パネルと、上記前縁から延出する前面パネルと、上記後縁から延出する後面パネルと、上記一対の側縁から延出する一対の側面パネルとを備え、上記前面パネル、上記後面パネル及び上記一対の側面パネルが上方に折り曲げられて箱型に組み立てられる箱用シートであって、上記前面パネルに、物品取り出し用の切り欠き又は開口が形成されており、上記底面パネルの前縁の左右方向両側に両端部が配置され、上記後面パネル側に凸な破断線又は破断容易線が形成されており、上記底面パネル及び上記後面パネルに跨る領域に、上記破断線又は破断容易線によって画定される傾斜板が形成されており、上記傾斜板が、組立状態で、前方から後方に向けて上方に傾斜した状態で上記後面パネルの内面に支持される本体を有する。
【００１３】
当該箱用シートは、上記底面パネルの前縁を基端縁として上記後面パネル側に延びる傾斜板を有しており、この傾斜板が、組立状態で、前方から後方に向けて上方に傾斜した状態で上記後面パネルの内面に支持される本体を有しているので、当該箱用シートを組み立ててなる箱体に収容された物品は、上記本体の前方に集められる。また、当該箱用シートは、上記前面パネルに、物品取り出し用の切り欠き又は開口が形成されているので、上記本体の前方に集められた物品を上記切り欠き又は上記開口から容易に取り出すことができる。従って、当該箱用シートによると、ピッキングの効率化を図ることができる。
【００１４】
上記傾斜板が、上記本体の先端縁に連接され、上記後面パネルの内面に折り重ねられる舌片を有し、上記舌片が、上記本体と接続される基端縁に、スリットによって画定される係合凸部を有しており、上記後面パネルに上記係合凸部が挿入される係止スリットが形成されているとよい。このように、上記傾斜板が、上記本体の先端縁に連接され、上記後面パネルの内面に折り重ねられる舌片を有し、上記舌片が、上記本体と接続される基端縁に、スリットによって画定される係合凸部を有しており、上記後面パネルに上記係合凸部が挿入される係止スリットが形成されていることによって、箱体に組み立てられた状態で、上記傾斜板を所望の姿勢で安定的に保持することができる。
【００１５】
上記傾斜板が、上記底面パネルの４つの角部を除く領域に形成されているとよい。この構成によると、上記前面パネル、上記後面パネル及び上記一対の側面パネルを上記４つの角部を介して上記底面パネルに確実に接続しつつ、上記傾斜板を上記底面パネル及び上記後面パネルに跨る領域に容易に形成することができる。
【００１６】
上記傾斜板が、上記底面パネルの上記４つの角部以外の全領域に亘って形成されているとよい。このように、上記傾斜板が、上記底面パネルの上記４つの角部以外の全領域に亘って形成されていることによって、箱体に収容された物品を上記傾斜板上を滑らせて箱体の前方に容易に集めることができる。
【００１７】
上記前面パネル及び上記後面パネルの側縁から延出する各一対の側面フラップを有し、上記各一対の側面フラップが、上記一対の側面パネルの内面に折り重ねられ、かつこの折り重ねられた状態で、上記傾斜板の側縁によって内側から支持されるとよい。このように、上記前面パネル及び上記後面パネルの側縁から延出する各一対の側面フラップを有し、上記各一対の側面フラップが、上記一対の側面パネルの内面に折り重ねられ、かつこの折り重ねられた状態で、上記傾斜板の側縁によって内側から支持されることによって、上記傾斜板を用いて箱体の形状を容易かつ安定的に保つことができる。
【００１８】
なお、本考案において、「上」とは、箱用シートを組み立ててなる箱体の想定される一般的な使用態様における上を意味する。また、「前後方向」とは、箱用シートを組み立ててなる箱体の想定される一般的な使用態様における上下方向に直交する１方向をいい、「左右方向」とは、上下方向及び前後方向に直交する方向をいう。
【００１９】
［本考案の実施形態の詳細］
以下、適宜図面を参照しつつ、本考案の実施の形態を詳説する。
【００２０】
［第一実施形態］
図１の箱用シート１０は、１枚のシートから構成される。当該箱用シート１０は、前後方向に対向する前縁１ａ及び後縁１ｂと、左右方向に対向する一対の側縁１ｃとを有する矩形状の底面パネル１と、前縁１ａから延出する前面パネル２と、後縁１ｂから延出する後面パネル３と、一対の側縁１ｃから延出する一対の側面パネル４とを備える。前面パネル２には、物品取り出し用の切り欠き２ａが形成されている。また、当該箱用シート１０は、前面パネル２の一対の側縁から延出する一対の第１側面フラップ５と、後面パネル３の一対の側縁から延出する一対の第２側面フラップ６と、一対の側面パネル４の先端縁から延出する一対の天面パネル７と、一対の天面パネル７の前側の側縁から延出する一対の前面フラップ８と、一対の天面パネル７の後側の側縁から延出する一対の後面フラップ９とを備える。当該箱用シート１０は、底面パネル１の前縁１ａの左右方向両側に両端部が配置され、後面パネル３側に凸な破断線１１が形成されている。当該箱用シート１０は、底面パネル１及び後面パネル３に跨る領域に、破断線１１によって画定される傾斜板１２が形成されている。なお、図１において、太い実線はシートを切断して形成される切断線を示し、細い実線はシートの片面を筋押しして形成される罫線を示す。
【００２１】
当該箱用シート１０は、前面パネル２、後面パネル３及び一対の側面パネル４を底面パネル１から上方に折り曲げて箱型に組み立てられる。具体的には、当該箱用シート１０は、図２及び図３の箱体２０に組み立てられる。箱体２０は、天面部から前面部に亘って箱体内に物品を出し入れ可能な開口２１を有する。
【００２２】
箱体２０の組立手順の一例について説明する。まず、傾斜板１２を上方に折り曲げ、さらに前面パネル２及び後面パネル３を上方に立ち上げたうえ、一対の第１側面フラップ５及び一対の第２側面フラップ６を内側に略直角に折り曲げる。次に、一対の側面パネル４を上方に立ち上げて、第１側面フラップ５及び第２側面フラップ６の外面に折り重ねる。続いて一対の天面パネル７を内側に略垂直に折り曲げたうえ、一対の前面フラップ８を前面パネル２の外面に折り重ね、かつ一対の後面フラップ９を後面パネル３の外面に折り重ねる。そして、前面フラップ８に設けられている後述の第１挿入片８ａを前面パネル２と第１側面フラップ５との境界部分に設けられている後述の第１係止孔５ａに挿入し、かつ後面フラップ９に設けられている後述の第２挿入片９ａを後面パネル３と第２側面フラップ６との境界部分に設けられている後述の第２係止孔６ａに挿入する。さらに、上方に折り曲げていた傾斜板１２をシート材の反力によって後面パネル３側に傾倒させる。これにより、後面パネル３の内面と傾斜板１２の先端縁とが干渉し、傾斜板１２が前方から後方に向けて上方に傾斜した状態で保持される。
【００２３】
当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。上記シートが段ボールシートである場合、この段ボールシートの中芯の稜線は、傾斜板１２の耐久性を高めることができる観点等から、前後方向に延びていることが好ましい。
【００２４】
（底面パネル）
上述のように、底面パネル１は矩形状である。底面パネル１は、傾斜板１２を内包している。図２及び図３に示すように、底面パネル１は、水平方向（配置面と平行な方向）に配置される接地部１３と、箱体２０において接地部１３に対して傾斜して配置される傾斜板１２とを含んでいる。
【００２５】
接地部１３は、底面パネル１の４つの角部に設けられている。すなわち、底面パネル１は、４つの接地部１３を有している。底面パネル１に設けられる接地部１３同士は離間して配置されている。これにより、傾斜板１２は、前後方向に隣接する接地部１３同士の間で底面パネル１の側縁１ｃまで至っている。また、傾斜板１２は、後側に設けられる一対の接地部１３同士の間を通って後面パネル３まで突出している。
【００２６】
底面パネル１の側縁１ｃの全体長さＬに占める傾斜板１２の長さＬ１の割合の下限としては、３０％が好ましく、４０％がより好ましい。一方、上記割合の上限としては、６０％が好ましく、５０％がより好ましい。上記割合が上記下限に満たないと、箱体２０に組み立てられた状態で、傾斜板１２から物品が落下するおそれが高くなる。逆に、上記割合が上記上限を超えると、底面パネル１と一対の側面パネル４とを確実に接続し難くなるおそれがある。
【００２７】
底面パネル１は、接地部１３の後縁１ｂで後面パネル３と接続されている。また、底面パネル１は、接地部１３の側縁１ｃで一対の側面パネル４と接続されている。当該箱用シート１０は、接地部１３を有することで、底面パネル１と後面パネル３、及び底面パネル１と一対の側面パネル４との接続構造を容易に維持することができる。
【００２８】
（前面パネル）
前面パネル２は、底面パネル１の前縁１ａの全領域と接続されている。すなわち、前面パネル２は、接地部１３の前縁１ａ及び傾斜板１２の前縁１ａの両方と接続されている。前面パネル２は、その上縁に物品取り出し用のＵ字状の切り欠き２ａを有する。これにより、前面パネル２は、全体としてＵ字状に形成されている。なお、「Ｕ字状」とは、角Ｕ字状や、角Ｕ字状に近似した形状を含む。
【００２９】
（後面パネル）
後面パネル３は略矩形状である。後面パネル３は、底面パネル１の後側に設けられる一対の接地部１３の後縁１ｂと接続されている。後面パネル３の基端側の端部には、底面パネル１から連続して傾斜板１２が設けられている。
【００３０】
（傾斜板）
傾斜板１２は、箱体２０に組み立てられた状態で、前方から後方に向けて上方に傾斜した状態で後面パネル３の内面に支持される本体を有する。本実施形態では、傾斜板１２は、上記本体からなる。傾斜板１２は、底面パネル１に内包される第１部分１４と、第１部分１４から後面パネル３の基端側に突出する第２部分１５とを有している。第１部分１４及び第２部分１５は一体的に形成されており、第１部分１４と第２部分１５との境界に折り曲げ容易線、破断容易線等は形成されていない。第２部分１５の先端縁１５ａは左右方向に延びている。図２に示すように、この先端縁１５ａは、箱体２０に組み立てられた状態で、後面パネル３の内面と干渉し、この内面によって支持される。
【００３１】
傾斜板１２の第１部分１４は、底面パネル１の４つの角部を除く領域に形成されている。これにより、当該箱用シート１０は、底面パネル１の４つの角部に設けられる接地部１３によって、前面パネル２、後面パネル３及び一対の側面パネル４と底面パネル１とを確実に接続しつつ、傾斜板１２を底面パネル１及び後面パネル３に跨る領域に容易に形成することができる。
【００３２】
第１部分１４は、底面パネル１の４つの角部以外の全領域に亘って形成されている。これにより、傾斜板１２を十分に大きくして、箱体２０に収容された物品を傾斜板１２上を滑らせて箱体２０の前方に容易に集めることができる。また、この構成によると、後述するように傾斜板１２の側縁によって一対の第１側面フラップ５及び一対の第２側面フラップ６を内側から容易かつ確実に支持することができる。
【００３３】
（側面パネル）
側面パネル４は略矩形状である。側面パネル４は、底面パネル１の前後方向に隣接する一対の接地部１３の側縁１ｃと接続されている。側面パネル４の上縁の中央部分には、上方に隆起する凸部４ａが形成されている。凸部４ａは、複数の箱体２０を段積みした際に、上側に配置される箱体２０の側面パネル４を外側から支持する。これにより、段積みされた状態での複数の箱体２０の配置が安定する。
【００３４】
（側面フラップ）
第１側面フラップ５及び第２側面フラップ６は、略矩形状、かつ略同形状である。第１側面フラップ５及び第２側面フラップ６の延出方向の合計長さは、側面パネル４の幅と略等しい。これにより、図２及び図３に示すように、箱体２０に組み立てられた状態で、第１側面フラップ５及び第２側面フラップ６は、側面パネル４の内面に折り重ねられた状態で先端縁同士が突き合わされる。
【００３５】
第１側面フラップ５と前面パネル２との境界部分には、第１係止孔５ａが形成されている。第１係止孔５ａは、前面パネル２側に凸なＵ字状である。第２側面フラップ６と後面パネル３との境界部分には第２係止孔６ａが形成されている。第２係止孔６ａは、後面パネル３側に凸なＵ字状である。当該箱用シートは、第１係止孔５ａ及び第２係止孔６ａがＵ字状であることで、第１係止孔５ａに第１挿入片８ａが挿入され、第２係止孔６ａに第２挿入片９ａが挿入された状態で、第１側面フラップ５及び第２側面フラップ６を前面パネル２及び後面パネル３に対して垂直に保持しやすい。
【００３６】
第１側面フラップ５及び第２側面フラップ６は、側面パネル４の内面に折り重ねられた状態で、傾斜板１２の側縁によって内側から支持される。当該箱用シート１０は、傾斜板１２（より詳しくは傾斜板１２の第１部分１４）が、前後方向に隣接する接地部１３同士の間で底面パネル１の側縁１ｃまで至っているので、第１側面フラップ５及び第２側面フラップ６を傾斜板１２の側縁によって内側から容易に支持することができる。その結果、当該箱用シート１０は、傾斜板１２を用いて箱体２０の形状を容易かつ安定的に保つことができる。
【００３７】
（天面パネル）
天面パネル７は、凸部４ａの両側で側面パネル４の上縁に接続されている。天面パネル７は、接地部１３と平行に折り曲げられ、複数の箱体２０が段積みされる場合に、上側に配置される箱体２０を下方から支持する支持部として機能する。
【００３８】
天面パネル７は、延出方向長さに対して幅が大きい略矩形状である。天面パネル７の延出方向長さは、底面パネル１の左右法長さの１／２未満であり、好ましくは３／１０以下である。天面パネル７の延出方向長さを上記上限以下とすることで、箱体２０の開口２１を十分に大きくすることができる。
【００３９】
（前面フラップ及び後面フラップ）
前面フラップ８は、第１係止孔５ａに挿入される第１挿入片８ａを有する。後面フラップ９は、第２係止孔６ａに挿入される第２挿入片９ａを有する。
【００４０】
＜利点＞
当該箱用シート１０は、底面パネル１の前縁１ａを基端縁として後面パネル３側に延びる傾斜板１２を有しており、この傾斜板１２が、組立状態で、前方から後方に向けて上方に傾斜した状態で後面パネル３の内面に支持されるので、当該箱用シート１０を組み立ててなる箱体２０に収容された物品は、傾斜板１２の前方に集められる。また、当該箱用シート１０は、前面パネル２に、物品取り出し用の切り欠き２ａが形成されているので、傾斜板１２の前方に集められた物品を切り欠き２ａから容易に取り出すことができる。従って、当該箱用シート１０によると、ピッキングの効率化を図ることができる。
【００４１】
［第二実施形態］
図４の箱用シート３０は、図５の箱体４０に組み立てられる。当該箱用シート３０は、傾斜板３２及び後面パネル３３の構成が異なる以外、図１の箱用シート１０と同様の構成とすることができる。そのため、以下では図１の箱用シート１０と相違する構成についてのみ説明する。
【００４２】
図４及び図５に示すように、傾斜板３２は、図１の傾斜板１２と同様の構成を有する本体３４と、本体３４の先端縁に連接され、後面パネル３３の内面に折り重ねられる舌片３５とを有する。舌片３５は、本体３４と接続される基端縁に、スリットによって画定される係合凸部３５ａを有する。後面パネル３３には、係合凸部３５ａが挿入される係止スリット３３ａが形成されている。係止スリット３３ａは、上方に凸なアーチ状である。また、後面パネル３３には、係止スリット３３ａの中央部分から上方に延びる切込み３３ｂが形成されている。
【００４３】
＜利点＞
当該箱用シート３０は、傾斜板３２が、本体３４の先端縁に連接され、後面パネル３３の内面に折り重ねられる舌片３５を有し、舌片３５が、本体３４と接続される基端縁に係合凸部３５ａを有しており、後面パネル３３に係合凸部３５ａが挿入される係止スリット３３ａが形成されているので、箱体４０に組み立てられた状態で、傾斜板３２を所望の姿勢で安定的に保持することができる。
【００４４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４５】
上記実施形態では、前面パネルに物品取り出し用の切り欠きが設けられた構成について説明した。但し、上記前面パネルには、上記切り欠きに代えて物品取り出し用の開口が設けられていてもよい。また、上記前面パネルに上記切り欠きが設けられている場合でも、この切り欠きの具体的な形状は特に限定されるものではない。
【００４６】
上記傾斜板は、上記底面パネル及び上記後面パネルに跨って形成される破断容易線によって画定されたものであってもよい。
【００４７】
上記傾斜板の具体的な形状は上記実施形態に記載の構成に限定されるものではない。例えば上記傾斜板は、上記底面パネルの１以上の角部を含む領域に形成されていてもよい。
【００４８】
上記底面パネルは、４つの角部以外の領域に接地部が設けられていてもよい。例えば上記底面パネルには、前後方向に隣接する角部同士を接続するように側縁に沿って延びる接地部が設けられていてもよい。
【００４９】
当該箱用シートは、上記側面パネルの内面に折り重ねられる側面フラップ（上記第１側面フラップ及び上記第２側面フラップ）を有しない構成とすることも可能である。また、当該箱用シートがこれらの側面フラップを有する場合でも、これらの側面フラップは、上記傾斜板の側縁によって内側から支持されない構成とすることも可能である。
【産業上の利用可能性】
【００５０】
以上のように、本考案の一態様に係る箱用シートは、ピッキングの効率化を図るのに適している。
【符号の説明】
【００５１】
１  底面パネル
１ａ  前縁
１ｂ  後縁
１ｃ  側縁
２  前面パネル
２ａ  切り欠き
３、３３  後面パネル
４  側面パネル
４ａ  凸部
５  第１側面フラップ
５ａ  第１係止孔
６  第２側面フラップ
６ａ  第２係止孔
７  天面パネル
８  前面フラップ
８ａ  第１挿入片
９  後面フラップ
９ａ  第２挿入片
１０、３０  箱用シート
１１  破断線
１２、３２  傾斜板
１３  接地部
１４  第１部分
１５  第２部分
１５ａ  先端縁
２０、４０  箱体
２１  開口
３３ａ  係止スリット
３３ｂ  切込み
３４  本体
３５  舌片
３５ａ  係合凸部
Ｌ  底面パネルの側縁の全体長さ
Ｌ１  傾斜板の長さ
【図１】
0003228638.tif 000003
【図２】
0003228638.tif 000004
【図３】
0003228638.tif 000005
【図４】
0003228638.tif 000006
【図５】
0003228638.tif 000007